(57)【特許請求の範囲】
【請求項１】
ジャンクションボックスのケース内部にＸ方向の短冊状の縦バスバーを平行配列して収容していると共に、各縦バスバーのケース外面に、外部回路の電線端末に接続した端子を挿入係止するキャビティをＹ方向に多数並設した電線接続ブロックを複数列平行に突設し、上記各キャビティに挿入係止する上記端子の一対の挟持片を上記縦バスバーに嵌合させて電気接続しており、
上記キャビティは、細物電線端末に接続する小サイズの端子に対応させた定形キャビティと、太物電線端末に接続する大サイズの端子に対応させた太物電線専用キャビティとを備え、
上記電線接続ブロックはＹ方向の全長にわたって上記定形キャビティを仕切壁を介して一定ピッチで並設し、かつ、所要位置に、３個並設する定形キャビティに代えて、１個の上記太物電線専用キャビティを中央に設けると共にその両側に厚肉の仕切壁を設け、
上記ケース内部の縦バスバーは、上記定形キャビティのピッチに対応させた一定ピッチで配列していることを特徴とするジャンクションボックス。
【請求項２】
ジャンクションボックスのケース内部にＸ方向の短冊状の縦バスバーを平行配列して収容していると共に、該縦バスバーの配置位置のケース外面に、外部回路の電線端末に接続した端子を挿入係止するキャビティをＹ方向に多数並設した電線接続ブロックを複数列平行に突設し、上記各キャビティに挿入係止する上記端子の一対の挟持片を上記縦バスバーに嵌合させて電気接続しており、
上記キャビティは、細物電線端末に接続する小サイズの端子に対応させた定形キャビティと、太物電線端末に接続する大サイズの端子に対応させた太物電線専用キャビティとを備え、
上記電線接続ブロックはＹ方向の全長にわたって上記定形キャビティを仕切壁を介して一定ピッチで並設し、かつ、所要位置に、３個並設する定形キャビティに代えて、１個の上記太物電線専用キャビティを中央に設けると共に、その両側に仕切壁を介して上記定形キャビティよりも小さいキャビティを設け、この両側の小さいキャビティは不使用あるいは極小サイズの端子を挿入可能とし、
上記ケース内部の縦バスバーは、上記定形キャビティのピッチに対応させたピッチで配列されていることを特徴とするジャンクションボックス。
【請求項３】
ジャンクションボックスのケース内部にＸ方向の短冊状の縦バスバーを平行配列して収容していると共に、該縦バスバーの配置位置のケース外面に、外部回路の電線端末に接続した端子を挿入係止するキャビティをＹ方向に多数並設した電線接続ブロックを複数列平行に突設し、上記各キャビティに挿入係止する上記端子の一対の挟持片を上記縦バスバーに嵌合させて電気接続しており、
上記キャビティは、細物電線端末に接続する小サイズの端子に対応させた定形キャビティと、太物電線端末に接続する大サイズの端子に対応させた太物電線専用キャビティとを備え、
上記電線接続ブロックは上記定形キャビティを所定厚さの仕切壁を介して一定ピッチで並設し、かつ、所要位置において定形キャビティに代えて上記太物電線専用キャビティを集中して設け、
上記ケース内部に配列する縦バスバーは定形キャビティが並設される箇所では一定ピッチで配列し、定形キャビティと太物電線専用キャビティの間では縦バスバーのピッチを変えていると共に、太物電線専用キャビティに設置される縦バスバーの位置にはケース外面にコネクタ収容部を設けていないことを特徴とするジャンクションボックス。
【請求項４】
上記ジャンクションボックスを、外部回路と接続されるベース回路部と、ヒューズ接続回路部あるいは／およびリレー接続回路部に分割し、ベース回路部を備えたベースモジュールと、上記ヒューズ接続回路部あるいは／および上記リレー接続回路部を備えたヒューズ・リレーモジュールを設け、これらモジュールを結合してジャンクションボックスを組み立てており、
上記ベースモジュールのベース回路部を、上記ケース内部に並列配置する短冊状の縦バスバーより構成し、これら縦バスバーをケース内面に並設した溝に位置決め保持して配置していると共に、該ケースには電線端末に接続したコネクタを嵌合するコネクタ収容部も設け、該コネクタのハウジング先端に上記縦バスバーを挿入する溝を設け、該コネクタ内に収容する上記端子の一対の挟持片で上記縦バスバーに嵌合させて電気接続させ、かつ、
上記ベースモジュールのケースの一部に上記ヒューズ・リレーモジュールを搭載し、該ヒューズ・リレーモジュールのケースにヒューズ取付部あるいは／およびリレー取付部を設けると共にケース内部にバスバーを固定し、該バスバーの一端を上記ヒューズ取付部あるいは／およびリレー取付部に取り付けられるヒューズ、リレーの端子に接続すると共に他端を上記縦バスバーに接続させている請求項１乃至請求項３のいずれか１項に記載のジャンクションボックス。
【発明の詳細な説明】
【０００１】
【発明の属する技術分野】
本発明は、自動車用のジャンクションボックスに関し、特に、内部回路に用いるバスバーとして多数並列して収容する短冊状の縦バスバーを用い、外部回路の電線端末の端子を上記縦バスバーに直接接続するものである。
【０００２】
【従来の技術】
近時、自動車に搭載される電装品の急増に伴い、自動車用電気接続箱、特に、ジャンクションボックスの内部に収容される回路が急増し、高密度で分岐回路を形成するために、部品点数が非常に多くなり、組み立て手数も非常にかかるようになっている。
【０００３】
自動車用のジャンクションボックスは、通常、図１２に示す構成とされている。該ジャンクションボックス１は、アッパーケース２とロアケース３の間に絶縁板４Ａ〜４Ｅを介在させてバスバー５Ａ〜５Ｄを積層配置している。上記アッパーケース２にはコネクタ収容部２ａ、リレー収容部２ｂ、ヒューズ収容部２ｃを設け、これら収容部にコネクタ６、リレー７、ヒューズ８を装着して、これらの端子と上記バスバーから突設したタブと直接あるいは中継端子を介して接続させている。また、ロアケース３にもコネクタ収容部３ａを設けて、バスバーのタブ５ａを突出してコネクタと接続している場合もある。
【０００４】
上記絶縁板４Ａ〜４Ｅに固定するバスバー５Ａ〜５Ｄは導電性金属板を所要の回路形状に打ち抜いて形成されている。このバスバーと外部回路となるワイヤハーネスの電線端末の端子とはコネクタを介して接続しており、電線端末の端子をコネクタのキャビティに挿入し、このコネクタをジャンクションボックスのケース外面に形成したコネクタ収容部に嵌合すると、上記バスバーに形成したタブあるいはタブに接続した中継端子と、上記コネクタ内の電線端末の端子とが嵌合される。
【０００５】
上記したバスバー５Ａ〜５Ｄに代えて、図１３（Ａ）（Ｂ）に示すように、ケース２'（３'）の内部に縦バスバー５'を収容している場合もあり、該縦バスバー５'は帯形状とした導電性金属材をフォーミングして所要の屈曲形状を形成している。
【０００６】
【発明が解決しようとする課題】
図１２に示すように、従来のジャンクションボックスでは、その内部回路とワイヤハーネスの外部回路をコネクタを介して接続しているため、コネクタとワイヤハーネスとの接続作業が必要となると共に部品点数が増加する問題がある。
【０００７】
さらに、上記図１２に示すジャンクションボックス１では、バスバーを回路形状に打ち抜いて形成するため、回路変更が生じるとバスバーを形成しなおす必要があり、バスバー形成用の金型費が非常に高くつき、回路変更に柔軟に対応できない問題がある。また、バスバー材料となる導電性金属板の歩留まりが非常に悪く、コストアップの要因となる。
また、図１３（Ａ）（Ｂ）に示す縦バスバー５'を用いた場合、導電性金属板を帯形状として用いるため歩留まりは向上するが、フォーミングして屈曲させたバスバーは１本づつケース２'内の溝あるいはガイド突起の間に挿入しなければならず、作業手数がかかり、この点でコストアップの要因が生じる。
【０００８】
また、図１２および図１３に示すジャンクションボックスとも、内部回路となるバスバーにコネクタ、ヒューズおよびリレーを接続する構成としているため、ヒューズ、リレーと内部回路との接続が変わる仕様変更が生じた場合に、内部回路の全体を変更しなければならず、回路変更に容易に対応出来ない問題がある。
【０００９】
本発明は上記問題に鑑みてなされたもので、ジャンクションボックス内に収容するバスバーとして歩留まりの良い縦バスバーを並列して用い、該縦バスバーに外部回路の電線端末の端子をコネクタレスで直接に嵌合させるようにし、特に、少数の太物電線端末に接続される大きなサイズの端子を、大多数の細物電線端末に接続される小さいサイズの端子と共に縦バスバーに接続出来るようにすることを課題としている。
【００１０】
【課題を解決するための手段】
上記課題を解決するため、本発明は、ジャンクションボックスのケース内部にＸ方向の短冊状の縦バスバーを平行配列して収容していると共に、各縦バスバーのケース外面に、外部回路の電線端末に接続した端子を挿入係止するキャビティをＹ方向に多数並設した電線接続ブロックを複数列平行に突設し、上記各キャビティに挿入係止する上記端子の一対の挟持片を上記縦バスバーに嵌合させて電気接続しており、
上記キャビティは、細物電線端末に接続する小サイズの端子に対応させた定形キャビティと、太物電線端末に接続する大サイズの端子に対応させた太物電線専用キャビティとを備え、
上記電線接続ブロックはＹ方向の全長にわたって上記定形キャビティを仕切壁を介して一定ピッチで並設し、かつ、所要位置に、３個並設する定形キャビティに代えて、１個の上記太物電線専用キャビティを中央に設けると共にその両側に厚肉の仕切壁を設け、
上記ケース内部の縦バスバーは、上記定形キャビティのピッチに対応させた一定ピッチで配列していることを特徴とするジャンクションボックスを提供している。
【００１１】
上記ケース内部に配列する縦バスバーは、アッパーケースあるいはロアケース内に並列して設けた溝内に収容保持しており、該溝間のピッチを縦バスバーのピッチとしている。
上記溝に収容保持する縦バスバーは、上記電線接続ブロックのキャビティ底面を挿通し、該キャビティ内に挿入する上記端子の挟持片を上方（あるいは／および下方）から上記縦バスバーを挟持させて接続している。
【００１２】
ジャンクションボックスの内部回路には電源線やアース線等の太物電線を接続する必要があるが、太物電線に取り付けられる端子は大きな寸法となる。よって、この大寸の端子を縦バスバーに接続させる構成とすると、平行配列する縦バスバーのピッチは大きなものとなり、ジャンクションボックスは大型化する。
ジャンクションボックスの内部回路に接続される電線の９０％程度は小電流の細物電線である。これらの細物電線の端末に接続される端子は小寸法であるため、この小寸法の端子に縦バスバーのピッチを合わせると、ジャンクションボックスの小型化あるいは高密度化を図ることができる。
【００１３】
よって、本発明では、上記のように、大多数の細物電線の小寸の端子に対応させたキャビティを定形キャビティとして並設し、少数の太物電線の大寸の端子に対応させた太物電線専用キャビティは、並設する定形キャビティの所要位置で部分的に３個の定形キャビティを潰して１つの専用キャビティとすることにより対応し、これにより、ケース側の縦バスバーは定形キャビティのピッチと同一の狭ピッチで配列しても、太物電線とも接続できるようにしている。
このように、細物電線の小寸の端子に応じたピッチで縦バスバーを配列することにより、縦バスバーの高密度配置を達成している。
【００１４】
また、上記アッパーケースを製造する金型は、上記太物電線用キャビティを形成する部位を入れ子構造とすることで、太物電線用キャビティが細物電線用の定形キャビティに変更する際などに金型全体を変更せずに済み、コストアップを抑制することができる。
【００１５】
上記のように３個分の定形キャビティを潰して１つの太物電線用キャビティを設ける代わりに、１つの太物電線専用キャビティと、其の両側の定形キャビティより小さいキャビティを設け、この両側の小さいキャビティを不使用キャビティあるいは極小端子の収容部としてもよい。
【００１６】
いずれの場合も、定形キャビティのピッチと同一の狭ピッチで配列するケース内部の縦バスバーに対して、少数の太物電線の端子を大多数の細物電線と共に１つの縦バスバーに接続することができる。
【００１７】
上記のように、３個並設する定形キャビティを潰して１つの太物電線専用キャビティを設ける代わりに、１つの定形キャビティを１つの太物電線専用キャビティに代えてもよい。この場合、定形キャビティが並設する部分の縦バスバーのピッチは狭ピッチで一定であると共に、太物電線専用キャビティが混在した部位では縦バスバーのピッチが変わることとなる。
しかしながら、上記太物電線専用キャビティと定形キャビティをバラバラに混在させずに、太物電線専用キャビティを集中的に設けているので、平行配列するキャビティおよび縦バスバーの全体的な占有スペースが大きくならずに、縦バスバーに直接太物電線を接続することが可能となる。
なお、上記太物電線専用キャビティは、上記各電線接続ブロックの一側に集中的に設けると好ましい。
【００１８】
また、ジャンクションボックスのケース外面にコネクタ収容部を設ける際には、太物電線専用キャビティに設置される縦バスバーの位置にはコネクタ収容部を設けずに、定形キャビティに挟ピッチで一定に配置される縦バスバーの位置に設けることで、上記コネクタ収容部に嵌合される相手側コネクタのピッチを一定とすることができ、コネクタの共用化を図ることもできる。
【００１９】
上記ジャンクションボックスを、外部回路と接続されるベース回路部と、ヒューズ接続回路部あるいは／およびリレー接続回路部に分割し、ベース回路部を備えたベースモジュールと、上記ヒューズ接続回路部あるいは／および上記リレー接続回路部を備えたヒューズ・リレーモジュールを設け、これらモジュールを結合してジャンクションボックスを組み立てており、
上記ベースモジュールのベース回路部を、上記ケース内部に並列配置する短冊状の縦バスバーより構成し、これら縦バスバーをケース内面に並設した溝に位置決め保持して配置していると共に、該ケースには電線端末に接続したコネクタを嵌合するコネクタ収容部も設け、該コネクタのハウジング先端に上記縦バスバーを挿入する溝を設け、該コネクタ内に収容する上記端子の一対の挟持片で上記縦バスバーに嵌合させて電気接続させ、かつ、
上記ベースモジュールのケースの一部に上記ヒューズ・リレーモジュールを搭載し、該ヒューズ・リレーモジュールのケースにヒューズ取付部あるいは／およびリレー取付部を設けると共にケース内部に絶縁板にバスバーを固定し、該バスバーの一端を上記ヒューズ取付部あるいは／およびリレー取付部に取り付けられるヒューズ、リレーの端子に接続すると共に他端を上記縦バスバーに接続させている。
【００２０】
上記のように、外部回路と接続されるベース回路部を備えたベースモジュールと、ヒューズ接続回路部あるいは／およびリレー接続回路部を備えたヒューズ・リレーモジュールを設け、これらモジュールよりジャンクションボックスの組み立てているため、ヒューズ接続回路部、リレー接続回路部の仕様変更があれば、対応するモジュールのみを変更すればよく、仕様変更に容易に対応することができる。逆に、外部電線との接続回路のみが変更される場合には、ベースモジュールの縦バスバーに接続する電線の接続位置を代えるだけでよいため、この場合にも回路変更に容易に対応することができる。
【００２１】
ベースモジュール内の縦バスバーと接続する外部電線の端末端子は、上記電線接続ブロックのキャビティに全て挿入して内部回路と接続すると、従来のようにコネクタ接続する必要がなくなる。
しかしながら、自動車組み立てラインにおいてワイヤハーネスとジャンクションボックスとを接続する場合もあるため、ワイヤハーネスの電線端末に接続したコネクタを取り付けるコネクタ収容部もジャンクションボックスに設けて対応させている。
其の際、縦バスバーのピッチを細物電線用の定形キャビティに合わせた一定の狭ピッチに統一すると、電線に接続したコネクタの端子穴のピッチも一定の小さなものとすることができ、コネクタの統合も図ることができる。
【００２２】
また、上記構成のジャンクションボックスでは、約９０％の細物電線をジャンクションボックス内の縦バスバーにコネクタレスで接続することができ、電線のコネクタ接続作業を無くすことが出来ると共に部品点数の削減を図ることができる。
さらに、ジャンクションボックスの内部回路として短冊形状の縦バスバーを用い、ケース内部に並列配置としているため、導電性金属板の歩留まりを１００％に出来ると共にフォーミング加工を省略でき、しかも、ケース内部に一括して自動組み付けを行うことができる。
【００２３】
【発明の実施の形態】
本発明の実施形態を図面を参照して説明する。
図１乃至図４は第１実施形態を示す。
自動車用ワイヤハーネスに接続されるジャンクションボックス１００は、ベースモジュール１０、ヒューズ・リレーモジュール１１、ＥＣＵケース１８を備えている。
【００２４】
上記ベースモジュール１０はアッパーケース１２とロアケース１４とからなるケース内部に図２に示すようにＸ方向の短冊状の縦バスバー１３をＹ方向に並列状態で収容している。
上記縦バスバー１３はベース回路を構成し、アッパーケース１２に設けた電線接続ブロック１５の各キャビティ１６に、図７（Ａ）に示すように、電線ｗの端子２０を直接挿入して上記縦バスバー１３と直接接続している。このベースモジュール１０のロアケース１４の一側にヒューズ・リレーモジュール１１を搭載している。
【００２５】
詳しくは、ベースモジュール１０は、図１および図２に示す上面形状とし、図３に示す下面形状としている。上面の一側には、長さ方向の略全長にわたって複数の電線接続ブロック１５を平行列で突設しており、各列の電線接続ブロック１５は端子挿入部となるキャビティ１６をＹ方向に多数並設している。また、上記電線接続ブロック１５の一方側に複数のコネクタ収容部１７を突設している。
【００２６】
アッパーケースの内面は、図５に概略的に示すように、多数並設する縦バスバー１３を固定するための溝１２ａを多数並設しており、狭幅で等ピッチとしている。これら各溝１２ａは、電線接続ブロック１５のキャビティ１６の底面開口およびコネクタ収容部１７の底面開口をはさんで連続させて、各溝１２ａに縦バスバー１３を挿入して位置決め保持している。
なお、上記縦バスバー１３を位置決め保持する溝はロアケース側にも設けてもよい。
【００２７】
上記各溝１２ａに挿入固定する縦バスバー１３は、連続した一枚の短冊状の縦バスバー１３−１と、これを分断して複数枚の縦バスバー１３−２を隙間をあけて連続させたものとがある。
【００２８】
上記各キャビティ１６に挿入する電線ｗ端末に圧着された端子２０は、図７（Ａ）に示すように、一対の挟持片２０ａを備え、縦バスバー１３を端子２０の一対の挟持片２０ａにより挟持して接続している。また、該端子２０には芯線バレル２０−２と挟持片２０ａとの間の位置に係止凹部２０ｃを設けている。
また、図７（Ｂ）に示すように、キャビティ１６の内壁にはランス部１６ａを突出しており、端子２０の係止凹部２０ｃと係止することにより端子２０の半挿入を防止している。
【００２９】
電線接続ブロック１５のキャビティ１６は、図６（Ａ）（Ｂ）に示すように、細物電線ｗ１の端末に接続する小サイズの端子２０−１に対応させた定形キャビティ１６−１と太物電線ｗ２の端末に接続する大サイズの端子２０−２に対応させた専用キャビティ１６−２の２種類からなり、専用キャビティ２０−２の両側は厚肉の仕切壁を設けてキャビティとして用いていない。
【００３０】
定形キャビティ１６−１の幅をＬ１、専用キャビティ１６−２の幅をＬ２とすると、Ｌ１＜Ｌ２の関係としているが、各キャビティ１６−１、１６−２の下方に平行配置される縦バスバー１３の間隔は、定形キャビティ１６−１のピッチに対応させて全てＰ１の間隔に等ピッチで並んでいる。
【００３１】
上記アッパーケース１２に設けたコネクタ収容部１７には、図８（Ａ）（Ｂ）に示すように、電線端末の端子を挿入係止したコネクタ３０を嵌合し、コネクタ３０の外側のロック爪３０ａとコネクタ収容部１７の内壁のロック爪１７ａとをロック結合している。コネクタ３０には縦バスバー挿通溝３０ｂを設けて縦バスバー１３をコネクタ内に挿通させ、コネクタ内の端子３１を縦バスバー１３に挟持させて接続している。
【００３２】
上記アッパーケースと嵌合するロアケース１４には、図１、２、３に示すように、アッパーケース１２との嵌合部の一側端よりヒューズ・リレーモジュール設置部２２を突設している。
このヒューズ・リレーモジュール設置部２２にはコネクタ収容部２３を突設すると共に、端子穴２４を設けている。このヒューズ・リレーモジュール設置部２２の下部にヒューズ・リレーモジュール１１のケース２５を組み付けている。該ケース２５には端子穴２４に嵌合する端子収容部２６を上向きに突出すると共に、下向きにリレー収容部２７、ヒューズ収容部２８を突設している。
【００３３】
上記ヒューズ・リレーモジュール設置部２２とケース２５との間には、図９に示すようにヒューズ・リレー用のバスバー４０を設置し、該バスバー４０の一端にて上向きに屈折した端子部４０ａを縦バスバー１３に圧接接続させて、ベースモジュール１０の内部回路の縦バスバー１３とヒューズ・リレーモジュール１２のバスバー４０とを接続している。
上記バスバー４０の他端は屈折させてタブ４０ｂとし、ヒューズ収容部２８、リレー収容部２７、コネクタ収容部２３に挿入するリレー、ヒューズ、電源コネクタの端子とを接続させている。
【００３４】
さらに、ベースモジュール１０の下部にＥＣＵケース１８を組みつけ、該ＥＣＵケース１８の内部にプリント基板５５を収容し、該プリント基板５５の導体をベースモジュール１０側に延在するバスバー４０と接続させている。
【００３５】
上記構成からなるジャンクションボックス１００では、縦バスバー１３をアッパーケース１２とロアケース１４内に並列配置して収容してベースモジュール１０を組み立てており、このベースモジュール１０に対して、並列させた電線ｗの端子２０を、アッパーケース１２の電線接続ブロック１５のキャビティ１６に直接的に一括挿入するだけで縦バスバー１３に接続させることができる。また、ワイヤハーネス端末のコネクタ３０もコネクタ収容部１７に嵌合させるだけで、コネクタ３０内の端子３１を縦バスバー１３に接続させることができる。
【００３６】
また、太物電線ｗ２の端末の大サイズの端子２０−１が挿入される位置では、３個並列する定形キャビティに代えて１個の専用キャビティ１６−２を中央に設けることで、ジャンクションボックス１００を大きくすることなく、接続される電線のサイズに幅広く対応できると共に、縦バスバー１３を定形キャビティ１６−１に合わせて配置することにより、等間隔、かつ、狭ピッチで並列させることができる。
【００３７】
縦バスバー１３が等ピッチであると、コネクタ収容部１７の配置転換等の仕様変更が発生しても、電線に接続したコネクタ３０のバスバー挿通溝３０ｂのピッチも変える必要がなく、コネクタの共用化を図ることができると共に、挟ピッチであることで回路の高密化が可能となり、小型化を図ることができる。
【００３８】
上記構成のジャンクションボックス１００では、各電線ｗと縦バスバー１３との接続位置さえ変更すれば回路変更を容易に行うことができる。かつ、ベースモジュール１０とヒューズ・リレーモジュール１１とを分離し、ヒューズ・リレーモジュール１１のヒューズ・リレー用のバスバー４０を縦バスバー１３と接続させているため、ベース回路と外部電線との接続形態の変更があるだけの場合にはヒューズ・リレーモジュール１１を共用することができる。同様に、ヒューズ・リレーモジュール１１のヒューズ接続回路のみ変更がある場合にはベースモジュール１０を共用することができる。
【００３９】
なお、太物電線全てを電線接続ブロック１５の専用キャビティ１６−２に挿入して縦バスバー１３と接続する必要は無く、一部の太物電線を、ヒューズ・リレーモジュール１１にてバスバー４０を介して縦バスバー１３と接続する構成としてもよい。
さらに、ヒューズ・リレーモジュールは一体化せずに、分割して形成してもよい。
【００４０】
図１０は第２実施形態を示す。
第１実施形態との相違点は、太物電線ｗ２の端子２０−２を挿入する専用キャビティ１６−２の両側を厚肉の仕切壁とする代わりに、極小の端子を挿入する極小キャビティ１６−３としている点である。
【００４１】
細物電線ｗ１の端末の端子２０−１を挿入する定形キャビティ１６−１の幅をＬ１、太物電線ｗ２の端末の端子１６−２を挿入する専用キャビティ１６−２の幅をＬ２、極小電線（図示せず）の端末の極小の端子を挿入する極小キャビティ１６−３の幅をＬ３とすると、Ｌ３＜Ｌ１＜Ｌ２の関係としている。
また、各キャビティ１６−１、１６−２、１６−３の下方にて平行配置される縦バスバー１３は、定形キャビティ１６−１のピッチに対応させた一定ピッチＰ１で配列されている。
【００４２】
上記構成とすると、縦バスバー１３の間隔を一定ピッチにし、かつ、太物電線専用のキャビティ１６−２を設けることにより発生する専用キャビティ１６−２両側のスペースを無駄にすることなく、極小キャビティ１６−３として有効利用することができる。
なお、極小キャビティ１６−３の位置する箇所は、キャビティとせずに不使用空間としてもよい。他の構成は第１実施形態と同様であるため説明を省略する。
【００４３】
図１１は第３実施形態を示す。
第１実施形態との相違点は、太物電線の専用キャビティ１６−２を電線接続ブロック１５”の一側に集めている点である。
【００４４】
電線接続ブロック１５”には、細物電線端末に接続する小サイズの端子に対応させた定形キャビティ１６−１を並列していると共に、図中右側においては、該定形キャビティ１６−１に代えて、太物電線端末に接続する大サイズの端子に対応する専用キャビティ１６−２を集めている。
【００４５】
定形キャビティ１６−１の幅をＬ１、専用キャビティ１６−２の幅をＬ２とすると、Ｌ１＜Ｌ２の関係であるので、定形キャビティ１６−１の並設された箇所では、平行配列される縦バスバーの間隔をＰ１として一定ピッチとしているが、太物電線の専用キャビティ１６−２の並設された箇所では縦バスバー１３の間隔をＰ２としており、つまり、Ｐ１＜Ｐ２としてピッチを変えている。
【００４６】
また、コネクタ収容部１７”は、ピッチ幅がＰ２に変わる縦バスバー１３’の上には配置されておらず、コネクタ収容部１７”に嵌合するコネクタ３０のバスバー挿通溝３０ｂのピッチは一定のままとすることができる。
【００４７】
上記構成とすることで、ジャンクションボックス１００を大きくすることなく、接続される電線のサイズに幅広く対応できると共に、コネクタ収容部１７”が配置される箇所では、縦バスバー１３が定形キャビティ１６−１間のピッチである一定のピッチで並列させることができるので、電線に接続したコネクタ３０のバスバー挿通溝３０ｂのピッチも一定となり、コネクタの共用化を図ることができる。
【００４８】
また、上記キャビティ間には厚肉の仕切壁や不使用空間を設けていないので、さらにジャンクションボックスの小型化を図ることができる。
なお、他の構成は第１実施形態と同様であるため説明を省略する。
【００４９】
【発明の効果】
以上の説明より明らかなように、本発明のジャンクションボックスでは、大多数の細物電線に対応させた定形キャビティ並設し、少数の太物電線に対応させた太物電線専用キャビティは、所要位置で部分的に３個の定形キャビティを潰して１つの専用キャビティとすることで、縦バスバーを定形キャビティのピッチと同一の狭ピッチで配列しても、太物電線とも接続できるようにし、回路の高密化を図ることができる。
なお、上記１つの太物電線専用キャビティの両側に定形キャビティより小さいキャビティを設け、この両側の小さいキャビティを極小端子の収容部とするとスペースの有効利用を図ることができる。
【００５０】
あるいは、１つの定形キャビティを１つの太物電線専用キャビティに代える構成とすると、縦バスバーのピッチが変わるものの、平行配列するキャビティおよび縦バスバーの全体的な占有スペースが大きくならずに、縦バスバーに直接太物電線を接続することが可能となる。
この場合は、縦バスバーのピッチ変化箇所にはコネクタ収容部を設けないことで、ピッチ変化の影響をなくすことができる。
【００５１】
また、上記各電線はジャンクションボックス内の縦バスバーにコネクタレスで接続することができ、部品点数および作業工数の削減を図ることができる。
さらに、ジャンクションボックスの内部回路として短冊形状の縦バスバーを用いているため、導電性金属板の歩留まりを１００％に出来ると共にフォーミング加工を省略でき、しかも、ケース内部に一括して自動組み付けを行うことができる。
【００５２】
さらに、ジャンクションボックスの内部回路を、外部回路と接続されるベース回路部と、ヒューズ接続回路部あるいは／およびリレー接続回路部に分割し、ベース回路部を備えたベースモジュールと、上記ヒューズ接続回路部あるいは／および上記リレー接続回路部を備えたヒューズ・リレーモジュールを設け、これらモジュールよりジャンクションボックスを組み立てているため、ヒューズ接続回路部、リレー接続回路部の仕様変更があれば、対応するモジュールのみを変更すればよく、仕様変更に容易に対応することができる。逆に、外部電線との接続回路のみが変更される場合には、ベースモジュールの縦バスバーに接続する電線の接続位置を代えるだけでよいため、この場合にも回路変更に容易に対応することができる。
【図面の簡単な説明】
【図１】  本発明の第１実施形態に係るジャンクションボックスの上面側からみた斜視図である。
【図２】  図１のジャンクションボックスの分解斜視図である。
【図３】  図１のジャンクションボックスの下方側から見た斜視図である。
【図４】  図１のジャンクションボックスの正面図である。
【図５】  アッパーケースの内面側に縦バスバーを取り付ける状態を示す斜視図である。
【図６】  （Ａ）はアッパーケースの上面図、（Ｂ）は要部拡大図である。
【図７】  （Ａ）は電線端末の端子とバスバーの接続状態を示す斜視図、（Ｂ）は要部断面図である。
【図８】  （Ａ）は電線が接続されたコネクタの斜視図、（Ｂ）はコネクタをジャンクションボックスのコネクタ収容部に嵌合した状態の断面図である。
【図９】  ジャンクションボックスの要部断面図である。
【図１０】  第２実施形態のアッパーケースの要部拡大図である。
【図１１】  第３実施形態のアッパーケースの上面図である。
【図１２】  従来のジャンクションボックスの斜視図である。
【図１３】  （Ａ）は別の従来のジャンクションボックスの平面図、（Ｂ）は縦バスバーの斜視図である。
【符号の説明】
１００  ジャンクションボックス
１０  ベースモジュール
１１  ヒューズ・リレーモジュール
１２  アッパーケース
１２ａ  溝
１３  縦バスバー
１４  ロアケース
１５  電線接続ブロック
１６  キャビティ
１６ａ  ランス部
１６−１  定形キャビティ
１６−２  専用キャビティ
１６−３  極小キャビティ
１７  コネクタ収容部
１８  ＥＣＵケース
２０  端子
２０ｃ  係止凹部
２０−１  小端子
２０−２  大端子
２２  ヒューズモジュール設置部
２３  コネクタ収容部
２５  ケース
３０  コネクタ
【図１】
0003900868.tif 000002
【図２】
0003900868.tif 000003
【図３】
0003900868.tif 000004
【図４】
0003900868.tif 000005
【図５】
0003900868.tif 000006
【図６】
0003900868.tif 000007
【図７】
0003900868.tif 000008
【図８】
0003900868.tif 000009
【図９】
0003900868.tif 000010
【図１０】
0003900868.tif 000011
【図１１】
0003900868.tif 000012
【図１２】
0003900868.tif 000013
【図１３】
0003900868.tif 000014